(57)【要約】【課題】データの欠測時間が長時間である場合や欠測前後のデータ値の差異が大きい場合であっても、欠測部分を適切且つ容易に補完することが可能なデータロガー装置を得る。【解決手段】データ欠測検索処理部３１５は、処理開始指示により帳票データ蓄積部３１２を検索し、帳票データの欠測部分を特定する。トレンドグラフ表示処理部３１６は、当該欠測部分とその前後のデータを含むトレンドグラフを表示装置３３に表示する。オペレータは、トレンドグラフの欠測部分にマウス入力装置３４またはペンタブレット入力装置３７を介してグラフ形式のデータを入力し、これをデジタル値変換処理部３１７でデジタル値に変換することにより欠測部分の帳票データを補完する。【選択図】図４
2014092835.tif 000002
【特許請求の範囲】
【請求項１】
外部装置から収集したデータを蓄積し該データに基づく帳票作成のための処理を行うデータ処理蓄積装置と、前記データ処理蓄積装置における処理に基づいてデータ表示を行う表示装置と、前記表示装置の画面上においてオペレータがグラフ形式のデータを入力可能な入力装置を備えたデータロガー装置であって、
前記データ処理蓄積装置は、外部装置からデータを取得して帳票データに加工するデータ収集処理部と、前記データ収集処理部で加工された帳票データを格納する帳票データ蓄積部と、前記帳票データ蓄積部を検索して帳票データの欠測部分を特定するデータ欠測検索処理部と、前記データ欠測検索処理部により特定された欠測部分とその前後のデータを含むトレンドグラフを前記表示装置に表示するトレンドグラフ表示処理部と、前記表示装置に表示されたトレンドグラフの欠測部分に前記入力装置を介して入力されたグラフ形式のデータをデジタル値に変換するデジタル値変換処理部と、前記デジタル値変換処理部によりデジタル値に変換されたデータを欠測部分の帳票データとして前記帳票データ蓄積部に格納するデータ補正処理部を有することを特徴とするデータロガー装置。
【請求項２】
前記入力装置として、マウス入力装置を備えたことを特徴とする請求項１記載のデータロガー装置。
【請求項３】
前記入力装置として、ペン型入力装置と、前記ペン型入力装置の位置を読み取るセンサ装置を備えたことを特徴とする請求項１または請求項２に記載のデータロガー装置。
【請求項４】
前記トレンドグラフ表示処理部は、前記表示装置に表示されたトレンドグラフにおいてオペレータが入力した欠測部分のグラフ上に、帳票データとして前記帳票データ蓄積部に格納されるデータをポイント表示することを特徴とする請求項１〜請求項３のいずれか一項に記載のデータロガー装置。
【請求項５】
前記データ処理蓄積装置は、前記データ欠測検索処理部により特定された欠測部分の前後のデータと類似しているデータ群を前記帳票データ蓄積部から検索する類似データ検索処理部を備え、前記トレンドグラフ表示処理部は、欠測部分とその前後のデータを含むトレンドグラフに重ねて、前記類似データ検索処理部により検索された類似データ群のグラフを表示することを特徴とする請求項１〜請求項４のいずれか一項に記載のデータロガー装置。
【請求項６】
前記データ処理蓄積装置は、前記データ欠測検索処理部により特定された欠測部分とその前後のデータに該当するトレンドデータを前記外部装置のトレンドデータ蓄積部から検索するトレンドデータ検索処理部と、前記トレンドデータ検索処理部が検索したトレンドデータを、前記トレンドグラフ表示処理部により前記表示装置に表示されたトレンドグラフに重ねて表示するトレンドデータ表示処理部を備えたことを特徴とする請求項１〜請求項５のいずれか一項に記載のデータロガー装置。
【請求項７】
前記データ処理蓄積装置は、前記データ欠測検索処理部により特定された欠測部分とその前後のデータに該当するトレンドデータの上限値及び下限値を含む計測範囲情報を前記外部装置のデータ特性蓄積部から検索するデータ範囲検索処理部と、前記データ範囲検索処理部が検索した当該データの上限値及び下限値を前記表示装置に表示するデータ範囲表示処理部を備えたことを特徴とする請求項１〜請求項６のいずれか一項に記載のデータロガー装置。
【請求項８】
前記データ処理蓄積装置は、前記トレンドグラフ表示処理部により前記表示装置に表示されたトレンドグラフの欠測部分に、オペレータが当該データの上限値または下限値を超
えるデータを入力した場合に、前記表示装置に警告を表示する入力値判断処理部を備えたことを特徴とする請求項７記載のデータロガー装置。
【発明の詳細な説明】
【技術分野】
【０００１】
本発明は、外部装置からデータを収集して蓄積し、日報や月報等の帳票を作成するデータロガー装置に関し、特にデータの欠測部分を補完する機能に関する。
【背景技術】
【０００２】
プラント等の外部装置から計測データや状態データ等のデータを収集して蓄積し、日報や月報等の帳票を作成するデータロガー装置には、データの欠測部分を補完する機能を有するものがある。例えば特許文献１には、帳票データ蓄積部を検索してデータの欠測部分を特定するデータ欠測検索処理部と、欠測部分の補正データを作成し、帳票データ蓄積部のデータを補正するデータ補正処理部を備えたデータロガー装置が提示されている。
【０００３】
この特許文献１では、データ欠測検索処理部からデータ欠測情報を受けたデータ補正処理部は、いくつかのデータ補正方法の内からオペレータによって選定された方法で補正データの作成を行う。この時のデータ補正方法として、「欠測直前、直後データの平均値を入れる」、「欠測直前のデータに合わせる」、「欠測直後のデータに合わせる」、「定数を入れる」の４つの方法が挙げられている。
【先行技術文献】
【特許文献】
【０００４】
【特許文献１】特開平１１−１６１７１８号公報
【発明の概要】
【発明が解決しようとする課題】
【０００５】
しかしながら、上記特許文献１で提示された４つのデータ補正方法では、いずれも、欠測部分に補完されるデータは一定値となる。このため、データの欠測時間が一定時間以上の長時間である場合や、欠測前後のデータ値の差異が大きい場合、適切なデータ補完ができないという問題があった。
【０００６】
本発明は、上記のような課題を解決するためになされたものであり、データの欠測時間が長時間である場合や欠測前後のデータ値の差異が大きい場合であっても、欠測部分を適切且つ容易に補完することが可能なデータロガー装置を得ることを目的とする。
【課題を解決するための手段】
【０００７】
本発明に係るデータロガー装置は、外部装置から収集したデータを蓄積し該データに基づく帳票作成のための処理を行うデータ処理蓄積装置と、データ処理蓄積装置における処理に基づいてデータ表示を行う表示装置と、表示装置の画面上においてオペレータがグラフ形式のデータを入力可能な入力装置を備えたデータロガー装置であって、データ処理蓄積装置は、外部装置からデータを取得し帳票データに加工するデータ収集処理部と、データ収集処理部で加工された帳票データを格納する帳票データ蓄積部と、帳票データ蓄積部を検索して帳票データの欠測部分を特定するデータ欠測検索処理部と、データ欠測検索処理部により特定された欠測部分とその前後のデータを含むトレンドグラフを表示装置に表示するトレンドグラフ表示処理部と、表示装置に表示されたトレンドグラフの欠測部分に入力装置を介して入力されたグラフ形式のデータをデジタル値に変換するデジタル値変換処理部と、デジタル値変換処理部によりデジタル値に変換されたデータを欠測部分の帳票データとして帳票データ蓄積部に格納するデータ補正処理部を有するものである。
【発明の効果】
【０００８】
本発明に係るデータロガー装置によれば、トレンドグラフ表示処理部により欠測部分とその前後のデータを含むトレンドグラフを表示装置に表示し、該トレンドグラフの欠測部分に入力装置を介してグラフ形式のデータを入力し、これをデジタル値変換処理部でデジタル値に変換することにより欠測部分の帳票データを補完するようにしたので、欠測時間が一定時間以上の長時間である場合や欠測前後のデータ値の差異が大きい場合であっても、適切且つ容易にデータ補完することが可能である。
【図面の簡単な説明】
【０００９】
【図１】本発明の実施の形態１に係るデータロガー装置の構成を示すブロック図である。
【図２】本発明の実施の形態１に係るデータロガー装置における表示装置の画面を示す図である。
【図３】本発明の実施の形態１に係るデータロガー装置における表示装置の画面を示す図である。
【図４】本発明の実施の形態２に係るデータロガー装置の構成を示すブロック図である。
【図５】本発明の実施の形態３に係るデータロガー装置における表示装置の画面を示す図である。
【図６】本発明の実施の形態４に係るデータロガー装置の構成を示すブロック図である。
【図７】本発明の実施の形態４に係るデータロガー装置における表示装置の画面を示す図である。
【図８】本発明の実施の形態５に係るデータロガー装置の構成を示すブロック図である。
【図９】本発明の実施の形態５に係るデータロガー装置における表示装置の画面を示す図である。
【図１０】本発明の実施の形態６に係るデータロガー装置の構成を示すブロック図である。
【図１１】本発明の実施の形態６に係るデータロガー装置における表示装置の画面を示す図である。
【発明を実施するための形態】
【００１０】
実施の形態１．
以下に、本発明の実施の形態１に係るデータロガー装置について、図面に基づいて説明する。図１は、本実施の形態１に係るデータロガー装置の構成を示している。データロガー装置３を構成するデータ処理蓄積装置３１は、プラント等の外部装置（図示せず）から計測データや状態データ等のデータを収集して蓄積し、該データに基づく日報や月報等の帳票を作成する処理を行うものである。
【００１１】
また、データロガー装置３は、データ処理蓄積装置３１における処理に基づいてデータ表示を行う表示装置３３と、データ処理蓄積装置３１に対して処理開始指示や補正データを入力する入力装置であるマウス入力装置３４及びキー入力装置３５と、日報や月報等の帳票を印字する印字装置３６を備えている。なお、マウス入力装置３４は、表示装置３３の画面上において、オペレータがグラフ形式のデータを入力可能なものである。
【００１２】
データ処理蓄積装置３１の各構成要素について説明する。データ収集処理部３１１は、外部装置からコントローラ１及び信号線２を介してデータを取得し、帳票データに加工する。帳票データ蓄積部３１２は、データ収集処理部３１１で加工された帳票データを格納する。データ修正処理部３１３は、オペレータがマウス入力装置３４またはキー入力装置３５を介して入力したデータ修正指示に対して帳票データ蓄積部３１２の帳票データを修正する。データ表示処理部３１４は、帳票データ蓄積部３１２から出力された帳票データを表示装置３３に表示するための処理を行う。
【００１３】
また、データ欠測検索処理部３１５は、マウス入力装置３４またはキー入力装置３５を介して入力された処理開始指示により帳票データ蓄積部３１２を検索し、帳票データの欠測部分を特定する。トレンドグラフ表示処理部３１６は、データ欠測検索処理部３１５により特定された欠測部分とその前後のデータを含むトレンドグラフを、帳票データ蓄積部３１２に格納された帳票データに基づいて作成し、表示装置３３に表示する。すなわち、トレンドグラフ表示処理部３１６により作成されるトレンドグラフは、帳票データ蓄積部３１２に格納されている帳票データを繋いだ折れ線グラフである。
【００１４】
デジタル値変換処理部３１７は、トレンドグラフ表示処理部３１６により表示装置３３に表示されたトレンドグラフの欠測部分に、マウス入力装置３４を介して入力されたグラフ形式のデータを、デジタル値に変換する。データ補正処理部３１８は、デジタル値変換処理部３１７によりデジタル値に変換されたデータを、欠測部分の帳票データとして帳票データ蓄積部３１２に格納する。データ印字処理部３１９は、帳票データ蓄積部３１２から出力された帳票データを印字装置３６で印字するための処理を行う。
【００１５】
本実施の形態１に係るデータロガー装置３においてデータの欠測部分を補完するデータ補正処理の流れについて、図２及び図３を用いて説明する。オペレータは、マウス入力装置３４またはキー入力装置３５により、データ欠測検索処理部３１５に対し処理開始指示を入力する。これを受けたデータ欠測検索処理部３１５は、帳票データ蓄積部３１２を検索し、帳票データの欠測部分を抽出する。
【００１６】
データ欠測検索処理部３１５が帳票データの欠測部分を特定した場合、データ表示処理部３１４は、図２の画面３３１に示すように、該当する帳票を表示装置３３に表示する。なお、図２において、網掛け部分は帳票データの欠測部分を示している。オペレータは、画面３３１において、データを入力する項目をマウス入力装置３４またはキー入力装置３５により選択する（画面３３１では、欠測部分の項目Ａを修正項目として選択している）。
【００１７】
続いて、トレンドグラフ表示処理部３１６は、図３の画面３３２に示すように、選択された項目Ａの欠測部分とその前後のデータを含むトレンドグラフを表示装置３３に表示する。オペレータは、画面３３２において、マウス入力装置３４により、項目Ａの欠測部分（図３中、ｔ１とｔ２の間）のデータをグラフ形式で入力する。なお、図３において、実線はトレンドグラフ表示処理部３１６により表示されたトレンドグラフ、太い実線はオペレータにより入力されたグラフを示している。
【００１８】
デジタル値変換処理部３１７は、オペレータにより入力されたグラフ形式のデータをデジタル値に変換する。さらに、データ補正処理部３１８は、デジタル値変換処理部３１７によりデジタル値に変換されたデータを、欠測部分の帳票データとして帳票データ蓄積部３１２に書き込む。また、今回のデータ補正処理により帳票データ蓄積部３１２に格納されることになった帳票データ（画面３３２の表中、項目Ａの３：００と４：００の帳票データ）が、表示装置３３に表示される。以上の動作により帳票データの欠測部分が補完され、データ補正処理が完了する。
【００１９】
本発明の比較例として、従来のデータロガー装置では、帳票データの欠測部分に「欠測直前、直後データの平均値を入れる」、「欠測直前のデータに合わせる」、「欠測直後のデータに合わせる」、「定数を入れる」という方法でデータを補完していた。これらの方法ではいずれも、欠測部分に一定値が補完されることになり、データの欠測時間がごく短時間の場合や欠測前後のデータ値の差異がほとんど無い場合には有効である。
【００２０】
しかし、図３に示す画面３３２の例のように、データの欠測時間（ｔ１からｔ２まで）が一定時間以上の長時間である場合や、欠測前後のデータ値の差異が大きい場合に一定値を補完すると、実際のデータとかけ離れた精度の低いものとなる恐れがある。これに対し、本実施の形態１に係るデータロガー装置３における補完方法では、トレンドグラフにおいて前後のデータを参考にしながら全体的なデータの動向も反映させることができ、適切な補完を行うことができる。
【００２１】
以上のように、本実施の形態１に係るデータロガー装置３によれば、トレンドグラフ表示処理部３１６により欠測部分とその前後のデータを含むトレンドグラフを表示装置３３に表示し、該トレンドグラフの欠測部分にマウス入力装置３４を介してグラフ形式のデータを入力し、これをデジタル値変換処理部３１７でデジタル値に変換することにより欠測部分の帳票データを補完するようにしたので、欠測時間が一定時間以上の長時間である場合や欠測前後のデータ値の差異が大きい場合であっても、適切且つ容易にデータ補完することが可能である。
【００２２】
実施の形態２．
図４は、本発明の実施の形態２に係るデータロガー装置の構成を示している。なお、図４中、図１と同一部分には同一符号を付している。上記実施の形態１では、入力装置としてマウス入力装置３４とキー入力装置３５を備え、マウス入力装置３４によりデータの欠測部分をグラフ形式で入力する場合について説明したが、本実施の形態２ではさらに、ペンタブレット入力装置３７を備えたものである。なお、その他の構成は上記実施の形態１と同様であるので説明を省略する。
【００２３】
ペンタブレット入力装置３７は、専用のペン型入力装置と、このペン型入力装置の位置を読み取るセンサが内蔵された板状のタブレットからなる。また、ペン型の入力装置による入力が可能なものとして、タッチパネルを内蔵した画面を有する表示装置であっても良い。本実施の形態２によれば、上記実施の形態１と同様の効果に加え、ペンタブレット入力装置３７を備えることにより、オペレータはマウス入力装置３４よりも容易に精細なグラフを入力することができる。
【００２４】
実施の形態３．
図５は、本発明の実施の形態３に係るデータロガー装置における表示装置の画面を示している。なお、本実施の形態３に係るデータロガー装置の構成は、上記実施の形態２と同様であるので図４を流用し、各構成要素については説明を省略する。
【００２５】
上記実施の形態１では、図３の画面３３２に示すように、今回のデータ補正処理により帳票データ蓄積部３１２に格納されることになった帳票データ（項目Ａの３：００と４：００の帳票データ）を表形式で表示したが、本実施の形態３ではさらに、トレンドグラフ上にポイント表示する機能を追加したものである。
【００２６】
本実施の形態３に係るトレンドグラフ表示処理部３１６は、図５の画面３３３に表示されたトレンドグラフにおいて、オペレータが入力した欠測部分のグラフ上に、帳票データとして帳票データ蓄積部３１２に格納される帳票データをポイント表示（図５中、Ｐ１、Ｐ２で示す白丸）する機能を有している。なお、表示装置３３の画面に該データをポイント表示するか否かは、オペレータが適宜選択することができる。本実施の形態３によれば、上記実施の形態１及び実施の形態２と同様の効果に加え、さらにオペレータにとって分かり易く、使い易いものとなる。
【００２７】
実施の形態４．
図６は、本発明の実施の形態４に係るデータロガー装置の構成を示している。なお、図６中、図４と同一部分には同一符号を付している。本実施の形態４に係るデータロガー装置３のデータ処理蓄積装置３１は、上記実施の形態３と同様の構成に加え、データ欠測検索処理部３１５により特定された欠測部分の前後のデータと類似しているデータ群を帳票データ蓄積部３１２から検索する類似データ検索処理部３２０を、さらに備えたものである。その他の構成は上記実施の形態３と同様であるので説明を省略する。
【００２８】
本実施の形態４に係る類似データ検索処理部３２０は、データ欠測検索処理部３１５により特定された欠測部分の前後のデータを含むデータ群を取得し、これと類似しているデータ群を帳票データ蓄積部３１２から検索する。さらに、トレンドグラフ表示処理部３１６は、欠測部分とその前後のデータを含むトレンドグラフに重ねて、類似データ検索処理部３２０により検索された類似データ群のグラフを表示する機能を有している。
【００２９】
本実施の形態４に係るデータロガー装置３においてデータの欠測部分を補完するデータ補正処理の流れについて、図７を用いて説明する。オペレータは、データ欠測検索処理部３１５に対し処理開始指示を入力し、データ表示処理部３１４は該当する帳票を表示装置３３に表示する（図２参照）。オペレータがデータを入力する項目Ａをいずれかの入力装置３４、３５、３７により選択すると、トレンドグラフ表示処理部３１６は、選択された項目Ａの欠測部分とその前後のデータを含むトレンドグラフを表示装置３３に表示する。
【００３０】
続いてオペレータは、いずれかの入力装置３４、３５、３７により、類似データ検索処理部３２０に対し処理開始指示を入力する。これを受けた類似データ検索処理部３２０は、帳票データ蓄積部３１２を検索し、欠測部分の前後のデータと類似しているデータ群を抽出する。
【００３１】
類似データ検索処理部３２０により抽出された類似データ群は、図７（ａ）の画面３３４に示すように、トレンドグラフに重ねて表示される。なお、図７において、実線はトレンドグラフ表示処理部３１６により表示されたトレンドグラフ、点線は類似データ群のグラフ、太い実線はオペレータにより入力されたグラフをそれぞれ示している。
【００３２】
続いてオペレータは、図７（ｂ）に示すように、類似データ群のグラフ（点線）を参考にしながら、マウス入力装置３４またはペンタブレット入力装置３７により、項目Ａの欠測部分（ｔ１とｔ２の間）のデータをグラフ形式で入力する。また、オペレータが入力した欠測部分のグラフ上には、帳票データとして帳票データ蓄積部３１２に格納されるデータがポイント表示（図７（ｂ）中、Ｐ３、Ｐ４で示す白丸）される。以降の動作については上記実施の形態１と同様であるので説明を省略する。
【００３３】
上記実施の形態１〜３では、オペレータが欠測部分のデータをグラフ形式で入力する際に、参考値となるデータが無かったが、本実施の形態４では、帳票データ蓄積部３１２に格納された過去の類似データを参考値とすることができる。本実施の形態４によれば、上記実施の形態１〜実施の形態３と同様の効果に加え、オペレータによる欠測部分のデータ入力を容易にすると共に、欠測部分に入力されるデータの精度が高くなる。
【００３４】
実施の形態５．
図８は、本発明の実施の形態５に係るデータロガー装置の構成を示している。なお、図８中、図６と同一部分には同一符号を付している。本実施の形態５に係るデータロガー装置３のデータ処理蓄積装置３１は、上記実施の形態４と同様の構成に加え、さらに、トレンドデータ検索処理部３２１とトレンドデータ表示処理部３２２を備えたものである。その他の構成は上記実施の形態１〜４と同様であるので説明を省略する。
【００３５】
本実施の形態５に係るトレンドデータ検索処理部３２１は、データ欠測検索処理部３１５により特定された欠測部分とその前後のデータに該当するトレンドデータを、外部装置である監視制御装置４のトレンドデータ蓄積部４１から検索する。トレンドデータ表示処理部３２２は、トレンドデータ検索処理部３２１により検索されたトレンドデータを、トレンドグラフ表示処理部３１６により表示装置３３に表示されたトレンドグラフに重ねてポイント表示する。
【００３６】
本実施の形態５に係るデータロガー装置３においてデータの欠測部分を補完するデータ補正処理の流れについて、図９を用いて説明する。オペレータは、データ欠測検索処理部３１５に対し処理開始指示を入力し、データ表示処理部３１４は該当する帳票を表示装置３３に表示する（図２参照）。オペレータがデータを入力する項目Ａをいずれかの入力装置３４、３５、３７により選択すると、トレンドグラフ表示処理部３１６は、選択された項目Ａの欠測部分とその前後のデータを含むトレンドグラフを表示装置３３に表示する。
【００３７】
続いてオペレータは、いずれかの入力装置３４、３５、３７によりトレンドデータ検索処理部３２１に対し処理開始指示を入力する。これを受けたトレンドデータ検索処理部３２１は、監視制御装置４のトレンドデータ蓄積部４１を検索し、欠測部分とその前後のデータに該当するトレンドデータを抽出する。
【００３８】
トレンドデータ検索処理部３２１により抽出されたトレンドデータは、トレンドデータ表示処理部３２２により、図９（ａ）の画面３３５に示すように、トレンドグラフに重ねて表示される。なお、図９において、実線はトレンドグラフ表示処理部３１６により表示されたトレンドグラフ、点線はトレンドデータのポイントを繋いだグラフ、太い実線はオペレータにより入力されたグラフをそれぞれ示している。
【００３９】
続いてオペレータは、図９（ｂ）に示すように、トレンドデータのグラフ（点線）を参考にしながら、マウス入力装置３４またはペンタブレット入力装置３７により、項目Ａの欠測部分（ｔ１とｔ２の間）のデータをグラフ形式で入力する。また、オペレータが入力した欠測部分のグラフ上には、帳票データとして帳票データ蓄積部３１２に格納されるデータがポイント表示（図９（ｂ）中、Ｐ５、Ｐ６で示す白丸）される。以降の動作については上記実施の形態１と同様であるので説明を省略する。
【００４０】
本実施の形態５において表示装置３３に表示されるトレンドデータのグラフは、欠測部分とその前後のデータに該当するデータそのものであるため、オペレータはこのグラフ上にマウス入力装置３４またはペンタブレット入力装置３７で重ね書きすれば良い。なお、上記実施の形態４において参考値として表示される類似データ群のグラフは、類似データ検索処理部３２０により抽出された帳票データを繋いだ折れ線グラフであるが、本実施の形態５で表示されるトレンドデータのグラフは、帳票データよりも短い周期で収集されているためデータの変化が分かり易い。
【００４１】
これらのことから、オペレータが欠測部分に入力する際の参考値として表示されるデータとしては、上記実施の形態４における類似データ群よりも、本実施の形態５におけるトレンドデータの方が望ましい。どちらを表示するかは、オペレータが適宜選択できるようにしても良い。また、該当するトレンドデータが検索できなかった場合に、類似データ群を表示するようにしても良い。本実施の形態５によれば、上記実施の形態１〜実施の形態４と同様の効果に加え、オペレータによる欠測部分のデータ入力を容易にすると共に、欠測部分に入力されるデータの精度がさらに高くなる。
【００４２】
実施の形態６．
図１０は、本発明の実施の形態６に係るデータロガー装置の構成を示している。なお、図１０中、図８と同一部分には同一符号を付している。また、図１０では、図８に示すトレンドデータ検索処理部３２１とトレンドデータ表示処理部３２２の図示を省略している。本実施の形態６に係るデータロガー装置３のデータ処理蓄積装置３１は、上記実施の形態５と同様の構成に加え、さらに、データ範囲検索処理部３２３、データ範囲表示処理部３２４、及び入力値判断処理部３２５を備えたものである。その他の構成は上記実施の形態５と同様であるので説明を省略する。
【００４３】
本実施の形態６に係るデータ範囲検索処理部３２３は、データ欠測検索処理部３１５により特定された欠測部分とその前後のデータに該当するトレンドデータの上限値及び下限値を含む計測範囲情報を、外部装置である監視制御装置４のデータ特性蓄積部４２から検索する。また、データ範囲表示処理部３２４は、データ範囲検索処理部３２３が検索した当該データの上限値及び下限値を、表示装置３３に表示する。さらに、入力値判断処理部３２５は、トレンドグラフ表示処理部３１６により表示装置３３に表示されたトレンドグラフの欠測部分に、オペレータが当該データの上限値または下限値を超えるデータを入力した場合に、表示装置３３に警告を表示する。
【００４４】
本実施の形態６に係るデータロガー装置３における表示装置３３の画面３３６を、図１１に示す。図１１において、実線はトレンドグラフ表示処理部３１６により表示されたトレンドグラフ、点線はトレンドデータ表示処理部３２２により表示されたトレンドデータのポイントを繋いだグラフ、太い実線はオペレータにより入力されたグラフをそれぞれ示している。
【００４５】
本実施の形態６では、図１１（ａ）に示すように、オペレータがマウス入力装置３４またはペンタブレット入力装置３７により欠測部分のデータをグラフ形式で入力する際に、当該データの上限値及び下限値が表示される。図１１の画面３３６では、トレンドグラフの中に上限値Ａ１、下限値Ａ２のラインが示されると共に、表形式で計測範囲、上限値、下限値が示されている。また、オペレータが当該データの上限値または下限値を超えるデータを入力した場合、図１１（ｂ）に示すような警告が表示される。図１１（ｂ）では、上限値を超えるデータを入力したため、「入力値が上限値を超えています」という警告が表示されている。
【００４６】
本実施の形態６によれば、上記実施の形態１〜実施の形態５と同様の効果に加え、オペレータによる欠測部分のデータ入力の範囲が限定されるため、さらに入力を容易にすると共に、欠測部分に入力されるデータの精度が高くなる。なお、本発明は、その発明の範囲内において、各実施の形態を自由に組み合わせたり、各実施の形態を適宜、変形、省略したりすることが可能である。
【産業上の利用可能性】
【００４７】
本発明は、プラント等の外部装置からデータを収集して蓄積し、日報や月報等の帳票を作成するデータロガー装置として利用することができる。
【符号の説明】
【００４８】
１  コントローラ、２  信号線、３  データロガー装置、４  監視制御装置、
３１  データ処理蓄積装置、３３  表示装置、３４  マウス入力装置、
３５  キー入力装置、３６  印字装置、３７  ペンタブレット入力装置、
４１  トレンドデータ蓄積部、４２  データ特性蓄積部、３１１  データ収集処理部、
３１２  帳票データ蓄積部、３１３  データ修正処理部、３１４  データ表示処理部、
３１５  データ欠測検索処理部、３１６  トレンドグラフ表示処理部、
３１７  デジタル値変換処理部、３１８  データ補正処理部、
３１９  データ印字処理部、３２０  類似データ検索処理部、
３２１  トレンドデータ検索処理部、３２２  トレンドデータ表示処理部、
３２３  データ範囲検索処理部、３２４  データ範囲表示処理部、
３２５  入力値判断処理部。
【図１】
2014092835.tif 000003
【図２】
2014092835.tif 000004
【図３】
2014092835.tif 000005
【図４】
2014092835.tif 000006
【図５】
2014092835.tif 000007
【図６】
2014092835.tif 000008
【図７】
2014092835.tif 000009
【図８】
2014092835.tif 000010
【図９】
2014092835.tif 000011
【図１０】
2014092835.tif 000012
【図１１】
2014092835.tif 000013